(57)【要約】【課題】余剰汚泥の発生量を一層減容することができる廃水処理装置および廃水処理方法を提供する。【解決手段】廃水処理装置１０は、被処理水を固液分離する最初沈殿池５０と、固液分離された被処理水を活性汚泥処理する活性汚泥処理槽１２と、汚泥を含む処理物を固液分離する最終沈澱池２４と、活性汚泥処理槽１２の汚泥を含む処理物の一部を活性汚泥処理槽１２に返送する第１汚泥返送ラインＬ５と、活性汚泥処理槽１２の汚泥を含む処理物のさらに一部を濃縮する予備濃縮槽５６と、濃縮された汚泥を曝気する汚泥改質槽３４と、汚泥改質槽３４により曝気された汚泥を最初沈殿池５０の流出水路５４に返送する第２汚泥返送ラインＬ７とを備える。この構成により、汚泥改質槽３４内の汚泥を飢餓状態とし、装置全体が保持するＳＳ量を増加させて、余剰汚泥の発生量を一層減容することができる。【選択図】図１
2007275847.tif 000002
【特許請求の範囲】
【請求項１】
被処理水を固液分離する第１固液分離槽と、
前記第１固液分離槽により固液分離された被処理水を活性汚泥処理する活性汚泥処理槽と、
前記活性汚泥処理槽の汚泥を含む処理物の一部を固液分離する第２固液分離槽と、
前記第２固液分離槽により固液分離された汚泥を前記活性汚泥処理槽に戻すべく返送する第１返送ラインと、
前記活性汚泥処理槽の汚泥を含む処理物の他の一部又は全部を濃縮する濃縮槽と、
前記濃縮槽により濃縮された汚泥を曝気する汚泥改質槽と、
前記汚泥改質槽により曝気された汚泥を前記第１固液分離槽と前記活性汚泥処理槽との間の経路に戻すべく返送する第２返送ラインと、
を備えた廃水処理装置。
【請求項２】
前記第１固液分離槽と前記活性汚泥処理槽との間の経路に、曝気された汚泥に被処理水中の有機物を吸着させる吸着反応槽を備え、
前記第２返送ラインは、前記吸着反応槽に前記汚泥改質槽によって曝気された汚泥を返送する、
請求項１に記載の廃水処理装置。
【請求項３】
前記汚泥改質槽は、前記濃縮槽により濃縮された汚泥の溶存酸素量が一定の目標値になるように制御する、請求項１または２に記載の廃水処理装置。
【請求項４】
前記汚泥改質槽は、前記濃縮槽により濃縮された汚泥の溶存酸素量が０．１〜０．３ｍｇ／Ｌとなるように制御する、請求項１〜３のいずれか１項に記載の廃水処理装置。
【請求項５】
前記汚泥改質槽は、前記濃縮槽により濃縮された汚泥が第１の溶存酸素量以下のときに曝気を開始し、前記濃縮槽により濃縮された汚泥が前記第１の溶存酸素量より高い第２の溶存酸素量以上のときに曝気を中止する、請求項１〜４のいずれか１項に記載の廃水処理装置。
【請求項６】
前記汚泥改質槽は、前記濃縮槽により濃縮された汚泥の酸化還元電位が一定の目標値になるように制御する、請求項１または２に記載の廃水処理装置。
【請求項７】
前記汚泥改質槽は、前記濃縮槽により濃縮された汚泥の酸化還元電位が−１００〜−５０ｍＶとなるように制御する、請求項１、２および６のいずれか１項に記載の廃水処理装置。
【請求項８】
前記汚泥改質槽は、前記濃縮槽により濃縮された汚泥が第１の酸化還元電位以下のときに曝気を開始し、前記濃縮槽により濃縮された汚泥が前記第１の酸化還元電位より高い第２の酸化還元電位以上のときに曝気を中止する、請求項１、２、６および７のいずれか１項に記載の廃水処理装置。
【請求項９】
前記汚泥改質槽は、一定時間だけ曝気を行った後、一定時間だけ曝気を中止することを繰り返す、請求項１〜８のいずれか１項に記載の廃水処理装置。
【請求項１０】
前記汚泥改質槽の容量は、前記活性汚泥処理槽の容量の１／４〜１である、請求項１〜９のいずれか１項に記載の廃水処理装置。
【請求項１１】
前記汚泥改質槽における滞留時間は１〜４日である、請求項１〜１０のいずれか１項に記載の廃水装置。
【請求項１２】
前記活性汚泥処理槽の処理物に含まれる汚泥の内、前記第１返送ラインにより前記活性汚泥処理槽に返送される汚泥の割合と、前記汚泥改質槽により曝気され前記第２返送ラインにより返送される汚泥の割合とを変更自在である、請求項１〜１１のいずれか１項に記載の廃水処理装置。
【請求項１３】
被処理水を固液分離する第１固液分離工程と、
前記第１固液分離工程で固液分離された被処理水を活性汚泥処理する活性汚泥処理工程と、
前記活性汚泥処理工程の汚泥を含む処理物の一部を固液分離する第２固液分離工程と、
前記第２固液分離工程により固液分離された汚泥を前記活性汚泥処理工程に戻すべく返送する第１返送工程と、
前記活性汚泥処理工程の汚泥を含む処理物の他の一部又は全部を濃縮する濃縮工程と、
前記濃縮工程により濃縮された汚泥を曝気する汚泥改質工程と、
前記汚泥改質工程により曝気された汚泥を前記第１固液分離工程で固液分離された被処理水と合流させるべく返送する第２返送工程と、
を含む廃水処理方法。
【発明の詳細な説明】
【技術分野】
【０００１】
本発明は、廃水処理装置および廃水処理方法に関する。
【背景技術】
【０００２】
従来、例えば下水等の有機性被処理水を活性汚泥処理槽で生物処理すると余剰汚泥が生じ、この余剰汚泥の処分に多大なコストが必要とされるため、当該余剰汚泥の減容化を図る技術が種々提案されている。
【０００３】
この汚泥減容化技術としては、発生した余剰汚泥を好気性消化、嫌気性消化等により生物学的に減容させる方法や、余剰汚泥を機械的破砕、熱処理、オゾン酸化等により物理化学的に減容させる方法や、このような生物学的方法と物理化学的方法とを組み合わせた方法がある。例えば、非特許文献１には、ミル破砕や超音波処理により可溶化・改質された処理物を活性汚泥処理槽に返送することで汚泥発生量を調整する技術が記載されている。
【非特許文献１】「汚泥量調整機構技術資料（案）」、社団法人地域資源循環技術センター（旧日本農業集落排水協会）、平成１７年５月、ｐ．４，ｐ．５２−５４，ｐ７９−８１
【発明の開示】
【発明が解決しようとする課題】
【０００４】
しかしながら、上記のような汚泥減容化技術にあっては、汚泥の減容が十分では無い。
【０００５】
本発明は、かかる事情に鑑みてなされたものであり、その目的は、余剰汚泥の発生量を一層減容することができる廃水処理装置および廃水処理方法を提供することにある。
【課題を解決するための手段】
【０００６】
本発明は、被処理水を固液分離する第１固液分離槽と、第１固液分離槽により固液分離された被処理水を活性汚泥処理する活性汚泥処理槽と、活性汚泥処理槽の汚泥を含む処理物の一部を固液分離する第２固液分離槽と、第２固液分離槽により固液分離された汚泥を活性汚泥処理槽に戻すべく返送する第１返送ラインと、活性汚泥処理槽の汚泥を含む処理物の他の一部又は全部を濃縮する濃縮槽と、濃縮槽により濃縮された汚泥を曝気する汚泥改質槽と、汚泥改質槽により曝気された汚泥を第１固液分離槽と活性汚泥処理槽との間の経路に戻すべく返送する第２返送ラインと、を備えた廃水処理装置である。
【０００７】
この構成によれば、濃縮槽が活性汚泥処理槽の汚泥を含む処理物を濃縮し、汚泥改質槽が当該濃縮された汚泥を曝気するため、汚泥中の微生物を飢餓状態とすることができる。また、第２返送ラインが飢餓状態の微生物を含んだ汚泥を第１固液分離槽と活性汚泥処理槽との間の経路に返送することで、被処理水中の有機物が当該汚泥に効果的に吸着されて汚泥の沈降性が向上するため、廃水処理装置の系全体で保持するＳＳ（Suspeded solids：懸濁物質）を一層多くすることができる。その結果として、廃水処理装置全体での単位汚泥量当りのＢＯＤ（Biochemical oxygen demand：生物化学的酸素要求量）負荷が低くなり、かつＭＬＳＳ（Mixed Liquor Suspeded Solids：混合液懸濁物質）を大きくできるため、活性汚泥処理槽における自己消化が促進され、汚泥の発生が抑制される。
【０００８】
この場合、第１固液分離槽と活性汚泥処理槽との間の経路に、曝気された汚泥に被処理水中の有機物を吸着させる吸着反応槽を備え、第２返送ラインは、吸着反応槽に汚泥改質槽によって曝気された汚泥を返送することが好適である。
【０００９】
この構成によれば、第１固液分離槽と活性汚泥処理槽との間に、別途、曝気された汚泥に被処理水中の有機物を吸着させるための吸着反応槽を備え、第２返送ラインは吸着反応槽に曝気された汚泥を返送するため、汚泥に有機物が吸着し易くなり、汚泥の沈降性が一層向上する。
【００１０】
この場合、汚泥改質槽は、濃縮槽により濃縮された汚泥の溶存酸素量が一定の目標値になるように制御するものとすることができる。この構成によれば、汚泥改質槽内の溶存酸素量を一定値に保つことができる。
【００１１】
この場合、汚泥改質槽は、濃縮槽により濃縮された汚泥の溶存酸素量が０．１〜０．３ｍｇ／Ｌとなるように制御することが好適である。この構成によれば、汚泥改質槽内の溶存酸素量（Dissolved oxygen：ＤＯ値）が０．１〜０．３ｍｇ／Ｌと低い値に制御されるため、汚泥の発生が一層抑制される。
【００１２】
この場合、汚泥改質槽は、濃縮槽により濃縮された汚泥が第１の溶存酸素量以下のときに曝気を開始し、濃縮槽により濃縮された汚泥が第１の溶存酸素量より高い第２の溶存酸素量以上のときに曝気を中止するものとすることができる。この構成によれば、汚泥改質槽は、第１の溶存酸素量以下のときに曝気を開始し、より高い第２の溶存酸素量以上のときに曝気を中止する間欠曝気を行うため、汚泥改質槽内を低い溶存酸素量に保つことが容易となる。
【００１３】
また、汚泥改質槽は、濃縮槽により濃縮された汚泥の酸化還元電位が一定の目標値になるように制御するものとすることができる。この構成によれば、汚泥改質槽内の酸化還元電位を一定値に保つことができるため、結果として汚泥改質槽内を一定の低い溶存酸素量に保つことができる。
【００１４】
この場合、汚泥改質槽は、濃縮槽により濃縮された汚泥の酸化還元電位が−１００〜−５０ｍＶとなるように制御するものとすることが好適である。この構成によれば、汚泥改質槽内の酸化還元電位（Oxydation‐reduction potential：ＯＲＰ値）が−１００〜−５０ｍＶと低い値に制御されるため、結果として汚泥改質槽内が低い溶存酸素量になることになり、汚泥の発生が一層抑制される。
【００１５】
この場合、汚泥改質槽は、濃縮槽により濃縮された汚泥が第１の酸化還元電位以下のときに曝気を開始し、濃縮槽により濃縮された汚泥が第１の酸化還元電位より高い第２の酸化還元電位以上のときに曝気を中止するものとすることができる。この構成によれば、汚泥改質槽は、第１の酸化還元電位以下のときに曝気を開始し、より高い第２の酸化還元電位以上のときに曝気を中止する間欠曝気を行うため、汚泥改質槽内を低い酸化還元電位にし、低い溶存酸素量に保つことが容易となる。
【００１６】
あるいは汚泥改質槽は、一定時間だけ曝気を行った後、一定時間だけ曝気を中止することを繰り返すものとすることができる。この構成によれば、経過時間を基準に間欠曝気運転を行うため、設備構成等の単純化を図ることができる。
【００１７】
一方、汚泥改質槽の容量は、活性汚泥処理槽の容量の１／４〜１であることが好適である。この構成によれば、汚泥改質槽の容量が大きすぎて施設の大型化を招くことがなく、廃水処理装置の系全体で保持するＳＳを多くすることができる。
【００１８】
この場合、汚泥改質槽における滞留時間（ＨＲＴ：Hydraulicretention time）は１〜４日であることが好適である。この構成によれば、廃水処理装置の系全体で保持するＳＳを一層多くすることができ、かつＨＲＴが長すぎて処理量が低下することがない。
【００１９】
また、活性汚泥処理槽の処理物に含まれる汚泥の内、第１返送ラインにより活性汚泥処理槽に返送される汚泥の割合と、汚泥改質槽により曝気され第２返送ラインにより返送される汚泥の割合とを変更自在であることが好適である。この構成によれば、飢餓状態に曝される汚泥の量を自在に制御することができる。
【００２０】
また本発明の別の態様は、被処理水を固液分離する第１固液分離工程と、第１固液分離工程で固液分離された被処理水を活性汚泥処理する活性汚泥処理工程と、活性汚泥処理工程の汚泥を含む処理物の一部を固液分離する第２固液分離工程と、第２固液分離工程により固液分離された汚泥を活性汚泥処理工程に戻すべく返送する第１返送工程と、活性汚泥処理工程の汚泥を含む処理物の他の一部又は全部を濃縮する濃縮工程と、濃縮工程により濃縮された汚泥を曝気する汚泥改質工程と、汚泥改質工程により曝気された汚泥を第１固液分離工程で固液分離された被処理水と合流させるべく返送する第２返送工程と、を含む廃水処理方法である。
【発明の効果】
【００２１】
本発明の廃水処理装置および廃水処理方法によれば、余剰汚泥の発生量を一層減容することができる。
【発明を実施するための最良の形態】
【００２２】
以下、本発明の実施の形態に係る廃水処理装置および廃水処理方法について添付図面を参照して説明する。なお、同一の構成要素は同一の符号で示し、重複する説明は省略する。
【００２３】
図１は、本発明の第１実施形態に係る廃水処理装置の構成を示す図である。本実施形態の排水処理装置１０により処理される廃水は、例えば、下水、農業集落排水、漁業集落排水、民間企業排水、団地排水等の有機性排水である。
【００２４】
図１に示すように、本実施形態の廃水処理装置１０は、被処理水を固液分離する最初沈殿池５０（第１固液分離槽）と、最初沈殿池５０から被処理水供給ラインＬ１を介して供給された被処理水を活性汚泥処理する活性汚泥処理槽１２と、活性汚泥処理槽１２から処理物移送ラインＬ２を介して供給された汚泥を含む処理物を固液分離する最終沈澱池２４（第２固液分離槽）とを備えている。また廃水処理装置１０は、活性汚泥処理槽１２の汚泥を含む処理物の一部を活性汚泥処理槽１２に返送する分離固形分移送ラインＬ４、第１汚泥返送ポンプ２８および第１汚泥返送ラインＬ５を備え、これらは本発明の第１返送ラインとして作用する。さらに廃水処理装置１０は、図１中に破線中に示すように、活性汚泥処理槽１２の汚泥を含む処理物のさらに一部を濃縮する予備濃縮槽５６（濃縮槽）と、予備濃縮槽５６により濃縮された汚泥を曝気する汚泥改質槽３４と、汚泥改質槽３４により曝気された汚泥を最初沈殿池５０の流出水路５４に返送する第２汚泥返送ラインＬ７（第２返送ライン）とから成る汚泥改質部３０を備える。なお、分離固形分移送ラインＬ４により移送された汚泥の内、第１汚泥返送ラインＬ５により返送された汚泥を除いた残部は、余剰汚泥排出ポンプ４８および余剰汚泥排出ラインＬ８を介して余剰汚泥として排出される。
【００２５】
最初沈殿池５０は、被処理水を固液分離するもので、回転駆動されるスクレーパ５２を有している。このスクレーパ５２は、槽の底部にたまった固形物を中央に集め、この固形物は固形物排出ラインＬ９により排出される。また、固形物を分離された被処理水の上澄み液は、流出水路５４から被処理水供給ラインＬ１を介して活性汚泥処理槽１２に供給される。
【００２６】
活性汚泥処理槽１２は、送風機１４、流量計１６および攪拌機１８を有し、これらにより槽内の汚泥を曝気し攪拌することができる。また活性汚泥処理槽１２は、ＤＯ計２０とＯＲＰ計２２（酸化還元電位検出計）とを有し、これらにより槽内の溶存酸素量と酸化還元電位を測定して、槽内の溶存酸素量を所定値に制御する。
【００２７】
最終沈澱池２４は、汚泥を含む処理物を汚泥と処理水とに固液分離するもので、最初沈殿池５０と同様に、回転駆動されるスクレーパ２６を有している。このスクレーパ２６は、槽の底部にたまった汚泥を中央に集めて排出し、この汚泥は分離固形分移送ラインＬ４により移送される。また、分離された処理水は、処理水排出ラインＬ３を介して排出される。
【００２８】
汚泥改質部３０は、活性汚泥処理槽１２から移送される汚泥を含む処理物の一部を引き抜く処理物引抜ラインＬ１０、引き抜いた汚泥を濃縮する予備濃縮槽５６、濃縮された汚泥を汚泥改質槽３４に導入する汚泥導入ポンプ３２および汚泥導入ラインＬ６、汚泥を曝気する汚泥改質槽３４、並びに曝気された汚泥を最初沈殿池５０の流出水路５４に返送する第２汚泥返送ポンプ４６および第２返送ラインＬ７から構成される。
【００２９】
予備濃縮槽５６は、最初沈殿池５０および最終沈殿池２４と同様に、槽の底部にたまった汚泥を中央に集めるスクレーパ５８を有している。集めた汚泥は汚泥導入ポンプ３２と汚泥導入ラインＬ６により汚泥改質槽３４に導入される。
【００３０】
汚泥改質槽３４は、活性汚泥処理槽１２と同様に、送風機３６、流量計３８、攪拌機４０、ＤＯ計４２およびＯＲＰ計４４を有している。これらにより汚泥改質槽３４の槽内は、例えば溶存酸素量が０．１〜０．３ｍｇ／Ｌ、酸化還元電位が−１００〜−５０ｍＶの低い溶存酸素状態に制御される。汚泥改質槽３４の容量は、好ましくは廃水処理装置１０における１日の処理水量の１／４〜１とされる。また、汚泥改質槽３４の滞留時間は１〜４日とされる。
【００３１】
汚泥改質槽３４内を上記の低い溶存酸素状態に制御することは、例えば溶存酸素量の目標値を０．２ｍｇ／Ｌに設定し、送風機３６、流量計３８、攪拌機４０およびＤＯ計４２から構成されるＰＩＤ制御系により溶存酸素量を一定の目標値である０．２ｍｇ／Ｌに制御することによって実現することができる。
【００３２】
あるいは溶存酸素量の制御は、例えば、ＤＯ計４２で検出される溶存酸素量が０ｍｇ／Ｌのときは、送風機３６によって曝気を開始し、ＤＯ計４２で検出される溶存酸素量が０．５ｍｇ／Ｌ以上のときは、送風機３６を停止することを繰り返す間欠曝気を行うことによっても実現することができる。あるいは、ＤＯ計４２で検出される溶存酸素量を間欠曝気運転の基準とせず、例えば５分間に１０〜６０秒だけ曝気しても良い。このようにすれば、設備構成等の単純化を図ることができる。
【００３３】
ＯＲＰ計４４で測定される酸化還元電位に基づいて汚泥改質槽３４内の溶存酸素量を制御する場合も同様に、例えば酸化還元電位の目標値を−１００ｍＶに設定し、ＰＩＤ制御系によって酸化還元電位を一定の目標値に制御することにより、結果として汚泥改質槽３４内の溶存酸素量を制御することができる。あるいは、例えばＯＲＰ計４４で検出される酸化還元電位が−１５０ｍＶのときに曝気を開始し、−５０ｍＶのときに曝気を中止することを繰り返す間欠曝気を行うことによって、汚泥改質槽３４内の酸化還元電位を制御し、結果として溶存酸素量を制御することができる。これらの溶存酸素量および酸化還元電位の目標値、並びに曝気の開始および中止の設定値は、任意に設定することができる。
【００３４】
第２汚泥返送ラインＬ７は曝気された汚泥を最初沈殿池５０の流出水路５４に返送する。図１の例では、第２汚泥返送ラインＬ７は最初沈殿池５０で固液分離された被処理水の流出口である流出水路５４に接続されているが、最初沈殿池５０と活性汚泥処理槽１２との間の経路であれば、いずれの位置に曝気された汚泥を返送しても良い。
【００３５】
なお、第１汚泥返送ラインＬ５および第２汚泥返送ラインＬ７によって活性汚泥処理槽１２に返送される汚泥の合計返送量は、活性汚泥処理槽１２のＳＳ濃度が一定となるようにされる。例えば、最終沈殿池２４および予備濃縮槽５６でのＳＳの濃縮率が３倍であるとき、被処理水供給ラインＬ１により供給される被処理水の内、活性汚泥処理槽１２に返送される合計返送率は０．５（＝１／（３−１））となる。これらの返送量は、第１汚泥返送ポンプ２８、汚泥導入ポンプ３２および第２汚泥返送ポンプ４６を連続的または間欠的に作動させることにより、適宜変更することができる。
【００３６】
以下、本実施形態の廃水処理装置１０の作用について説明する。活性汚泥処理槽１２の処理物から引き抜かれた汚泥は予備濃縮槽５６で濃縮され、微生物の養分となる廃水がない汚泥改質槽３４中で低溶存酸素状態におかれる。そのため汚泥改質槽３４から最初沈殿池５０の流出水路５４に返送される汚泥は飢餓状態となり汚泥の発生が抑制される。本実施形態の廃水処理装置１０では飢餓状態となった汚泥が最初沈殿池５０からの被処理水と合流し、被処理水中の有機物が飢餓状態の汚泥と初期吸着を起こすため、汚泥の沈降性が改善され、最終沈澱池２４における固液分離も容易となる。廃水処理装置１０の系全体で保持するＳＳの量は、活性汚泥処理槽１２と最終沈殿池２４とで保持されるＳＳに加えて、汚泥改質槽３４でのＳＳが加わることになり、さらに、汚泥の沈降性が改善されるので、従来の廃水処理装置において保持されるＳＳの量の約２倍から４倍となる。これにより、系全体における単位汚泥量当りのＢＯＤ負荷が従来の１／２〜１／４に低くなり、かつＭＬＳＳを大きくできる。そして、増大したＳＳは、活性汚泥処理槽１２に返送されるため、活性汚泥処理槽１２での自己消化が促進され、余剰汚泥量を従来の装置の２０〜６０％に減容することができる。また、本実施形態の廃水処理装置１０では余剰汚泥の減容に伴う水質悪化を避けることもできる。
【００３７】
以下、本発明の第２実施形態について説明する。図２は、本発明の第２実施形態に係る廃水処理装置の構成を示す図である。本実施形態においては、廃水処理装置１０は、最初沈殿池５０と活性汚泥処理槽１２との間に、曝気された汚泥に被処理水中の有機物を吸着させる吸着反応槽６０を別途備え、第２汚泥返送ラインＬ７によって返送される曝気された汚泥は当該吸着反応槽６０に導入される点が、上記第１実施形態と異なっている。
【００３８】
本実施形態によれば、吸着反応槽６０において、被処理水を所定時間をかけて滞留させ、被処理水中の有機物を曝気された汚泥に吸着させるため、汚泥への初期吸着が生じやすくなり、汚泥の沈降性が一層向上する。
【００３９】
尚、本発明の廃水処理装置および廃水処理方法は、上記した実施の形態に限定されるものではなく、本発明の要旨を逸脱しない範囲内において種々変更を加え得ることは勿論である。
【００４０】
例えば、図１および図２における汚泥改質槽３４は複数室に分割されていても良い。また、汚泥改質槽３４の水深を変更できるように水深計等を設け、汚泥改質槽３４内の滞留時間を変更できる機能を持たせた構造としても良い。あるいは、汚泥改質槽３４の容量を小さくするために、汚泥導入ラインＬ６に濃縮装置を設置しても良い。
【００４１】
あるいは、図１における活性汚泥処理槽１２が複数室に分割されており、その内の最も初段の反応室が汚泥改質槽３４として作用するようにされていても良い。この場合、予備濃縮槽５６からの濃縮された汚泥は、活性汚泥処理槽１２の初段の反応室に直接返送され、当該反応室において最初沈殿池５０で固液分離された被処理水と合流するようにされる。このような態様は、複数室に分割された活性汚泥処理槽１２の初段の反応室において、初期吸着が生じるため、上記実施形態と同様の作用効果を奏するものとでき、本発明の範囲に含まれる。
【図面の簡単な説明】
【００４２】
【図１】本発明の第１実施形態に係る廃水処理装置の構成を示す図である。
【図２】本発明の第２実施形態に係る廃水処理装置の構成を示す図である。
【符号の説明】
【００４３】
１０…廃水処理装置、１２…活性汚泥処理槽、１４…送風機、１６…流量計、１８…攪拌機、２０…ＤＯ計、２２…ＯＲＰ計、２４…最終沈澱池（第２固液分離槽）、２６…スクレーパ、２８…第１汚泥返送ポンプ、３０…汚泥改質部、３２…汚泥導入ポンプ、３４…汚泥改質槽、３６…送風機、３８…流量計、４０…攪拌機、４２…ＤＯ計、４４…ＯＲＰ計、４６…第２汚泥返送ポンプ、４８…余剰汚泥排出ポンプ、５０…最初沈殿池（第１固液分離槽）、５２…スクレーパ、５４…流出水路、５６…予備濃縮槽、５８…スクレーパ、６０…吸着反応槽、Ｌ１…被処理水供給ライン、Ｌ２…処理物移送ライン、Ｌ３…処理水排出ライン、Ｌ４…分離固形分移送ライン、Ｌ５…第１汚泥返送ライン（第１返送ライン）、Ｌ６…汚泥導入ライン、Ｌ７…第２汚泥返送ライン（第２返送ライン）、Ｌ８…余剰汚泥排出ライン、Ｌ９…固形物排出ライン、Ｌ１０…処理物引抜ライン。
【図１】
2007275847.tif 000003
【図２】
2007275847.tif 000004